(57)【特許請求の範囲】
【請求項１】
皮革（５）を材料とする手袋本体（１）の手の平部（２）の内面に、断熱層となる立体メッシュシート（４）を配置してあることを特徴とする皮革製手袋。
【請求項２】
立体メッシュシート（４）の内面に立体メッシュシートよりも目の細かい布地（３、１３）を配置してあることを特徴とする請求項１記載の皮革製手袋。
【請求項３】
立体メッシュシート（４）の厚みを３ｍｍ〜５ｍｍにしてあることを特徴とする請求項１又は２記載の皮革製手袋。
【発明の詳細な説明】
【技術分野】
【０００１】
本発明は、皮革を用いた手袋に関するもので、高温下での作業、例えば溶接等の作業時に着用するものに関する。
【背景技術】
【０００２】
耐熱性の手袋としては、手の平部の表面側に皮革を、内面側にアラミド繊維（ｄｕｐｏｎ社の商品名ケブラー（登録商標））を積層させた二重構造のものや、皮革の表面にさらにシリコンの滑り止め凸部を散在させたものが知られている。
【非特許文献１】ユアサグローブ株式会社ホームページ内の２００５年作業用手袋カタログの２５、２６頁（危険な作業用手袋）、平成17年10月27日検索、インターネット＜URL:http://www.yuasaglove.com/catalog/＞
【発明の開示】
【発明が解決しようとする課題】
【０００３】
ところが、これらは二重構造であるといっても使用時に熱が手の平に伝わってきて、高温下で長時間の継続使用には不向きであった。断熱効果を単に高めるには皮革の厚みを厚くすればよいが、手の平部分の皮革が厚いと、全体的に曲がりにくくなって、手を握る動きに皮革が十分に追従できず、握り心地が悪くなる。それ故、ある程度の厚み（約２ｍｍ）以上には肉厚を厚くできないという問題があった。また、皮革を厚くしたのでは、握り心地が悪くなるので、曲がりやすくしかも耐熱性にも優れた材料としてアラミド繊維を皮革の内面に重ねて断熱効果を高めているが、それでも高温下では熱が伝わってくる。
【０００４】
本発明は上記実情を考慮してなされたもので、その目的は、断熱効果に優れしかも手の動きに十分に追従する性質を兼備した皮革製の手袋を提供することにある。
【課題を解決するための手段】
【０００５】
本発明の皮革製手袋は、皮革を材料とする手袋本体の手の平部の内面に、断熱層となる立体メッシュシートを配置してあることを特徴とする。
【０００６】
手の平部を立体メッシュシートと皮革の二層構造としてもよいが、装着感の向上及び立体メッシュシートの保護を図るには、請求項２の発明のように、立体メッシュシートの内面に立体メッシュシートよりも目の細かい布地を配置してあることが望ましい。
【０００７】
断熱効果を充分に図りつつも使用感を損なわないようにするには、請求項３の発明のように、立体メッシュシートの厚みを３ｍｍ〜５ｍｍにしてあることが望ましい。
【発明の効果】
【０００８】
本発明は、皮革によって外気と手袋内の空気を遮断しつつ、立体メッシュシートによって空気からなる断熱層を皮革の内側に形成したもので、高い断熱効果が得られる。しかも立体メッシュシートの弾力性ゆえに、手を握る際の動きに立体メッシュシートが追従して変形し快適な使用感が得られ、その上、立体メッシュシートの形態安定性ゆえに、物を握っても立体メッシュシートは殆どつぶれず、断熱効果を維持できる。
【０００９】
また、立体メッシュシートの内面に布地を配置すれば、布地の目の細かさゆえに立体メッシュシート内に異物が入ることを防げ、断熱層としての効果を充分に発揮でき、さらに、手の平に触れる感触もよくなる。
【００１０】
さらに、立体メッシュシートの厚みを３〜５ｍｍにすれば、断熱効果が充分に得られつつも全体として厚みを薄くでき、自然な握り心地を維持できる。
【発明を実施するための最良の形態】
【００１１】
皮革製手袋の手袋本体１の手の平部２は、図１、図２に示すように、手に直に触れる布地３の上に、断熱層となる立体メッシュシート４を重ね、その上に、立体メッシュシート４よりも一回り大きな皮革５を配置し、皮革５の外周縁部に沿って布地３に縫い合わせ、布地３と皮革５の間に立体メッシュシート４を挟んである。なお、親指を曲げやすくするために、皮革５及び立体メッシュシート４は、親指部分と、それ以外の部分の二部材に分けてある。そして、手の平部２の布地３の縁部を手の甲部６の皮革と縫い合わせて手全体を覆う手袋本体１を作る。また、手の平部２及び手の甲部６の下端縁部に沿って手首を覆う部分７の皮革を縫い合わせてある。
【００１２】
立体メッシュシート４は、形態安定性と弾力性を併せ持ち、図３に示すように亀甲状の空隙８が規則的に形成された同形状の表地９と裏地１０との間に起立繊維１１を介在したものである。表地９と裏地１０の間の空気で断熱効果を得る。起立繊維１１は弓状に湾曲しており、表地９と裏地１０の間に多数本配置してある。また、立体メッシュシート４は、断熱効果を得るには厚い方が望ましいが、あまりに厚いと握り心地を損なう。従って、通常の皮革５の厚み（２ｍｍ以下）よりも厚い３ｍｍ以上から５ｍｍ以下にすることが望ましい。また、立体メッシュシートの空隙は布地よりも大きくする。立体メッシュシート４の具体例としては、旭化成せんい株式会社の商品名ＦＵＳＩＯＮ（登録商標）が挙げられる。
【００１３】
布地３は、繊維を集合して広さの割りに厚さの薄い、平板状にしたもので、具体的には織物、ニットが例示できる。さらに材料を具体的に言えばｄｕｐｏｎ社の商品名ケブラー（登録商標）を用い、耐熱性、難燃性、耐切創性、耐薬品性に優れている。布地３の寸法の例示としては、厚み：１〜２ｍｍ、目の細かさ：空隙１ｍｍ以下とする。なお、別の材料として、綿を用いても良い。
【００１４】
皮革５は牛、豚、羊などの自然皮革や合成皮革を使用する。動物の皮は、上皮層と真皮層の二つの層と、皮下組織に分けられるが、皮革としては、上皮層と皮下組織が除去され、繊維の多い強靭な真皮層が使用される。また、合成皮革は、一般的に織布または不織布等を基本として、合成樹脂を表面層とする二層構造をもったものである。そのうちでも、人工皮革と称するものでは、基布に不織布が使用され、連続微細多孔構造のウレタン樹脂を表面層とする。また、合成樹脂層または基布のみの一層構造、あるいは基布と樹脂層の中間に織編布を挿入した三層構造のものも存在する。
【００１５】
皮革製手袋の別例としては、図４に示すように、手の平部２を、皮革５、耐熱性に優れた第一の布地（商品名ケブラー（登録商標））１２、肌触りの良い第二の布地（綿糸）１３、立体メッシュシート４、第二の布地（綿糸）１３の順に表面側から内面側に向かって重ねて縫い合わせた多層構造としてあることを特徴とする。このようにすれば、人の手の平には綿糸が持つ特質である、手触りや吸湿（汗）性の良さが得られ、しかも、皮革５と第一の布地１２の積層構造によって断熱効果を上げ、さらに、立体メッシュシート４を第二の布地１３で内外から挟んでいるので、立体メッシュシート４の断熱効果を一段と向上できる。
【００１６】
皮革製手袋のさらなる別例としては、図５に示すように、手の平部２に限らず、手袋本体１の全体を、耐熱性に優れた第一の布地（商品名ケブラー（登録商標））１２、皮革５、肌触りの良い第二の布地（綿糸）１３、立体メッシュシート４、第二の布地（綿糸）１３の順に表面側から内面側に向かって重ねて縫い合わせた多層構造としてあることを特徴とする。このようにすれば、手の平部２だけでなく手袋全体の耐熱効果を向上できる。また、手の平部２の表面側の二層は、図４の例と順番が異なるだけなので、同等の耐熱効果が得られる。
【００１７】
なお、本発明は上記実施形態に限定されない。例えば、布地３を省いて手の平部２を立体メッシュシート４と皮革５の二つの材料だけで形成してもよく、この場合は図示しないが立体メッシュシート４と皮革５を縫い合わせて手の平部２を形成し、手の甲部６の皮革に縫い合わせて手袋本体１を形成する。
【図面の簡単な説明】
【００１８】
【図１】本発明の皮革製手袋を示す一部切り欠き正面図である。
【図２】手の平部分の材料の分解図である。
【図３】立体メッシュシートの概略図である。
【図４】別例の皮革製手袋を示す一部切り欠き正面図である。
【図５】別例の皮革製手袋を示す一部切り欠き正面図である。
【符号の説明】
【００１９】
１  手袋本体、  ２  手の平部、  ３  布地、  ４  立体メッシュシート、  ５  皮革、  ６  手の甲部、  ７  手首を覆う部分、  ８  空隙、  ９  表地、  １０裏地、  １１起立繊維、１２布地、１３布地
【図１】
0004448502.tif 000002
【図２】
0004448502.tif 000003
【図３】
0004448502.tif 000004
【図４】
0004448502.tif 000005
【図５】
0004448502.tif 000006